(57)【要約】【課題】箱の開封後に簡単に表示でき、箱が開封済みであることを強調して未開封の箱と明確に区別でき、箱が開封済みか未開封かを容易かつ確実に視認できるようにする。【解決手段】この包装用箱Ｂは、開口１０の縁部に、開口１０上に延び、開口１０を蓋２２、２０で封止する際に蓋２２、２０の内側に配置され、蓋２２、２０で押え固定される延長表示部２４を備え、この延長表示部２４に「開封済」の文字を有し、蓋２２、２０の開封時に、この延長表示部２４を開口１０から引き起こし、蓋２２、２０の外側に突出させて、「開封済」の文字を外部に表示するようにした。【選択図】図１
0003194834.tif 000002
【実用新案登録請求の範囲】
【請求項１】
物品を包装する箱で、物品を取り出すための開口を蓋で封止する形式の包装用箱において、
前記開口の縁部に、前記開口上に延び、前記開口を前記蓋で封止する際に前記蓋の内側に配置され、当該蓋で押え固定される延長表示部を備え、
前記延長表示部に開封済みの文字又は開封済みを意味する表記を有し、
前記蓋の開封時に、前記延長表示部を前記開口から引き起こし、前記蓋の外側に突出させて、開封済みの文字又は開封済みを意味する表記を外部に表示する、
ことを特徴とする包装用箱。
【請求項２】
開口の縁部に前記開口上に延びるフラップを有し、延長表示部は前記フラップの一部に形成される請求項１に記載の包装用箱。
【請求項３】
開口の縁部に前記開口上に延びるフラップを有し、延長表示部は前記フラップとは別に形成される請求項１に記載の包装用箱。
【請求項４】
物品を包装する箱で、物品を取り出すための開口を蓋で封止する形式の包装用箱において、
前記箱は側面の一部が外側の板と内側の板とからなる２重構造で、前記外側の板の一部に切り取り部を備え、前記内側の板の前記切り取り部の切り取り後の外側に現れる面に開封済みの文字又は開封済みを意味する表記を有し、
前記蓋の開封時に、前記切り取り部を切り取り、前記箱の側面に開封済みの文字又は開封済みを意味する表記を外部に表示する、
ことを特徴とする包装用箱。
【請求項５】
切り取り部は一端が蓋側に延び、開口を蓋で封止する際に、前記切り取り部の一端が前記蓋の内側に配置され、当該蓋で押え固定される請求項４に記載の包装用箱。
【考案の詳細な説明】
【技術分野】
【０００１】
本考案は、医薬品その他各種の物品を包装するのに使用する包装用箱に関する。
【背景技術】
【０００２】
一般に、病院や調剤薬局などの医療機関では、包装用箱に包装された医薬品が包装用箱に入れられた状態で、保管棚や保管ケースなどの医薬品の保管場所に保管されることが少なくない。
【０００３】
この種の包装用箱は、特許文献１、２などに開示されているように、基本構成として、正面、背面、左右両側面の４側面と、左右両側面の上下各端部からそれぞれ４側面の上下開口上に延びるフラップと、正面、背面の上下各端部から４側面の上下開口上を塞ぐ天面蓋及び底面蓋とを備え、錠剤やカプセルなどを包装する箱にあっては、錠剤やカプセルが複数個ずつ１枚のＰＴＰシートに収納され、さらに選択的にアルミ包材パックに封入されるので、全体として、複数枚単位のＰＴＰシート全体又はアルミ包材パック全体の大きさ、形状に適合する大きさの直方体形状に形成され、液状の薬剤にあっては、薬剤がバイアルなどに収納されるので、全体として、バイアルなどの大きさ、形状に適合する大きさの直方体形状に形成され、さらに箱内部には緩衝材が付設される。なお、この包装用箱は天面蓋が開閉される場合の構成であるが、側面が開閉される箱の場合でも、開閉される側面を天面蓋と、開閉される側面の対向面を底面蓋と見立てれば、全体の構成は同様である。
このように医薬品の包装用箱は全体が所謂直方体状の箱形になっているので、医療機関の医薬品の保管場所では、水平に並列に並べて又は多段的に積み重ねて保管される。
【０００４】
ところで、医療機関の医薬品の保管場所では、多くの種類の医薬品が保管され、また、同じ種類の医薬品でも包装用箱が既に開封済みで現在使用中のものと新品で箱が未開封のものとが混在されている。そして、医療機関では、当然のことながら、開封済みの箱の医薬品から使用していき、この箱内の医薬品がなくなれば、未開封の箱を開封し箱から医薬品を取り出すことになる。このため、医薬品の入った箱から医薬品を取り出す場合、その都度、開封済みの箱かどうかを確認するのが通常である。そして、この場合に、開封済みの箱を視認しやすいように、箱に、油性ペンなどを使って文字やマークを書き入れたり、輪ゴムを掛けたりすることが行われている。
【先行技術文献】
【特許文献】
【０００５】
【特許文献１】特開２０１４−１４１２７６公報
【特許文献２】特開２００６−９６３５１公報
【考案の概要】
【考案が解決しようとする課題】
【０００６】
このように医療機関などでは、医薬品の保管場所に、同じ種類の医薬品でも、箱が開封済みのものと未開封のものとが混在されることから、医薬品毎に箱が開封済みか未開封かを確認する必要があり、この確認を容易にするために、箱に油性ペンなどで文字やマークを書き入れたり輪ゴムを掛けたりするなど煩わしい作業を行わなければならない、という問題がある。
また、この場合、箱に文字やマークを書き入れたり輪ゴムを掛けたりするだけでは、これが箱の表面に印刷された文字やデザインと紛れることがあり、視認性が悪い、という問題もある。このため、箱それ自体を目視して開封済みか未開封かを確認し直すことも少なくない。
【０００７】
本考案は、このような従来の問題を解決するものであり、この種の包装用箱において、箱の開封後に簡単に表示でき、かつ箱が開封済みであることを強調して未開封の箱と明確に区別することができ、箱が開封済みか未開封かを容易かつ確実に視認できること、を目的とする。
【課題を解決するための手段】
【０００８】
上記目的を達成するために、本考案（１）は、物品を包装する箱で、物品を取り出すための開口を蓋で封止する形式の包装用箱において、前記開口の縁部に、前記開口上に延び、前記開口を前記蓋で封止する際に前記蓋の内側に配置され、当該蓋で押え固定される延長表示部を備え、前記延長表示部に開封済みの文字又は開封済みを意味する表記を有し、前記蓋の開封時に、前記延長表示部を前記開口から引き起こし、前記蓋の外側に突出させて、開封済みの文字又は開封済みを意味する表記を外部に表示する、ことを要旨とする。
この場合、開口の縁部に前記開口上に延びるフラップを有し、延長表示部は前記フラップの一部に形成されることが好ましい。
また、この場合、開口の縁部に前記開口上に延びるフラップを有し、延長表示部は前記フラップとは別に形成されることが好ましい。
また、上記目的を達成するために、本考案（２）は、物品を包装する箱で、物品を取り出すための開口を蓋で封止する形式の包装用箱において、前記箱は側面の一部が外側の板と内側の板とからなる２重構造で、前記外側の板の一部に切り取り部を備え、前記内側の板の前記切り取り部の切り取り後の外側に現れる面に開封済みの文字又は開封済みを意味する表記を有し、前記蓋の開封時に、前記切り取り部を切り取り、前記箱の側面に開封済みの文字又は開封済みを意味する表記を外部に表示する、ことを要旨とする。
この場合、切り取り部は一端が蓋側に延び、開口を蓋で封止する際に、前記切り取り部の一端が前記蓋の内側に配置され、当該蓋で押え固定されることが好ましい。
【考案の効果】
【０００９】
本考案（１）の包装用箱によれば、蓋の開封時に、開口の縁部の延長表示部を開口から引き起こし、蓋の外側に突出させて、この延長表示部の開封済みの文字又は開封済みを意味する表記を外部に表示するようにしたので、箱の開封後に簡単に表示でき、かつ箱が開封済みであることを強調して未開封の箱と明確に区別することができ、箱が開封済みか未開封かを容易かつ確実に視認することができ、またこの場合、箱を開封するまでは、延長表示部が蓋で押え固定されているので、開封済みの文字又は開封済みを意味する表記を箱の開封後にのみ表示することができる、という本発明独自の格別な効果を奏する。
本考案（２）の包装用箱によれば、蓋の開封時に、２重構造の側面の外側の板の切り取り部を切り取り、この切り取り部の切り取り後の内側の板の外側に現れる面の、開封済みの文字又は開封済みを意味する表記を外部に表示するようにしたので、箱の開封後に簡単に表示でき、かつ箱が開封済みであることを強調して未開封の箱と明確に区別することができ、箱が開封済みか未開封かを容易かつ確実に視認することができ、またこの場合、切り取り部の一端を蓋側に延ばし、開口を蓋で封止する際に、切り取り部の一端を蓋の内側に配置し、蓋で押え固定するようにすることで、開封済みの文字又は開封済みを意味する表記を箱の開封後にのみ表示することができる、という本発明独自の格別な効果を奏する。
【図面の簡単な説明】
【００１０】
【図１】本考案の一実施の形態における包装用箱の構成を示す斜視図（（ａ）は天面蓋が封止された状態（ｂ）は天面蓋が開封された状態）
【図２】同包装用箱の組み立て前の紙基材を示す平面図（展開図）
【図３】同包装用箱の開口縁部の延長表示部の「開封済」なる文字を箱の外部に表示するための手順を示す斜視図
【図４】同包装用箱の開口縁部の延長表示部の「開封済」なる文字を箱の外部に表示した状態を示す斜視図
【図５】同包装用箱の側面の切り取り部を切り取ってその下の「開封済」なる文字を箱の外部に表示するための手順を示す斜視図
【図６】同包装用箱の側面の切り取り部を切り取ってその下の「開封済」なる文字を箱の外部に表示した状態を示す斜視図
【図７】同包装用箱の特に切り取り部の変更例を示す斜視図
【考案を実施するための形態】
【００１１】
次に、この考案を実施するための形態について図を用いて説明する。なお、この実施の形態では、特に、ＰＴＰ包装の医薬品（この場合、錠剤やカプセルなどの医薬品が複数個ずつ１枚のＰＴＰシートに収納され、これが複数枚ずつ一まとめにされたもので、ここでは特にアルミ包材パックに封入されたもの）を包装するのに使用する包装用箱を例示している。
【００１２】
図１に包装用箱を示している。
図１に示すように、包装用箱Ｂ（以下、単に箱Ｂと称する場合がある。）は、医薬品を包装する箱で、医薬品を取り出すための開口１０を蓋２２、２０で封止する形式のもので、開口１０の縁部に、開口１０上に延び、開口１０を蓋２２、２０で封止する際に蓋２２、２０の内側に配置され、蓋２２、２０で押え固定される延長表示部２４を備え、延長表示部２４に「開封済」の文字を有し、蓋２２、２０の開封時に、延長表示部２４を開口１０から引き起こし、蓋２２、２０の外側に突出させて、「開封済」の文字を外部に表示するようになっている。
また、この箱Ｂでは、箱Ｂの側面の一部が外側の板１１と内側の板１５とからなる２重構造で、外側の板１１の一部に切り取り部２５を備え、内側の板１５の切り取り部２５の切り取り後の外側に現れる面に「開封済」の文字を有し、蓋２２、２０の開封時に、この切り取り部２５を切り取り、箱Ｂの側面に「開封済」の文字を外部に表示するようにしている。
【００１３】
この包装用箱Ｂは、図１に示すように、４側面１１−１５と、４側面１１−１５の一端の開口（天面開口）１０に延びる天面左右の各フラップ１６、１８（図２参照）及びこの開口１０を封止する天面内蓋２０、天面外蓋２２と、この４側面１１−１５の他端の開口（底面開口）に延びる底面左右の各フラップ１７、１９（図２参照）及びこの開口を封止する底面内蓋２１、底面外蓋２３（図２参照）とを備える。この場合、４側面１１−１５は正面１４、背面１２及び左右両側面１１、１３からなり、正面１４、背面１２がそれぞれ横に少し長い長方形に形成され、左右両側面１１、１３がそれぞれ縦に少し長い長方形に形成される。天面左右のフラップ１６、１８はそれぞれ連結面１５、左側面１３の上端にそれぞれ略横長の台形に形成され、天面内蓋２０は背面１２の上端に略横長の長方形に形成され、その先端に接着片２０１が横長の帯状に形成され、天面外蓋２２は正面１４の上端に略横長の長方形に形成され、底面左右のフラップ１７、１９はそれぞれ連結面１５、左側面１３の下端にそれぞれ略横長の台形に形成され、底面内蓋２１は背面１２の下端に略横長の長方形に形成され、底面外蓋２３は正面１４の下端に略横長の長方形に形成される。そして、この箱Ｂでは、一方の側面上端のフラップ、ここでは天面右フラップ１６の一部に延長表示部２４が形成され、その外側の面に「開封済」の文字が印刷により記入され、さらに、この箱Ｂの一部、この場合、４側面１１−１５の少なくとも１面、ここでは右側面が外側の板（右側面）１１と内側の板（連結面）１５とからなる２重構造で、外側の板１１に切り取り部２５が形成され、内側の板１５の外側の板１１から切り取り部２５が切り取られた後の外側に現れる面に「開封済」の文字が印刷により記入される。
【００１４】
この包装用箱Ｂは、一枚のブランクシートから一体的に打ち抜かれて形成された一枚の紙基材（Ｐ）からなり、この紙基材（Ｐ）は各部が所定の順序で折り曲げられ、所定の各接着位置が接着固定されて組み立てられる。
【００１５】
図２にこの紙基材Ｐを示している。なお、この図２には紙基材Ｐの表面（組み立て後に外側となる面）が現れている。図２に示すように、この紙基材Ｐは、全体が左右方向に少し長い直方体形状に組み立て可能に、直方体形状に組み立て後の状態で、右側面１１、背面１２、左側面１３、正面１４、及び右側面１１に重合されて正面１４と右側面１１との連結面１５をなす相互に折れ線Ｌ１−Ｌ４を介して連接して形成される４側面形状部Ｐ１１−Ｐ１５（右側面形状部Ｐ１１、背面形状部Ｐ１２、左側面形状部Ｐ１３、正面形状部Ｐ１４、及び連結面形状部Ｐ１５）と、右側面形状部Ｐ１１に代えて連結面形状部Ｐ１５及び右側面形状部Ｐ１３の上下方向の両端にそれぞれ折れ線Ｌ５、Ｌ６及びＬ７、Ｌ８を介して形成され、直方体形状に組み立て後の状態で天面右フラップ１６、底面右フラップ１７及び天面左フラップ１８、底面左フラップ１９をなす天面右フラップ形状部Ｐ１６、底面右フラップ形状部Ｐ１７及び天面左フラップ形状部Ｐ１８、底面左フラップ形状部Ｐ１９と、背面形状部Ｐ１２の上下方向の両端にそれぞれ折れ線Ｌ９、Ｌ１０を介して形成され、直方体形状に組み立て後の状態で天面内蓋２０をなす天面内蓋形状部Ｐ２０、及びこの天面内蓋形状部Ｐ２０の先端延長上に折れ線Ｌ１１を介して連続して形成され、天面内蓋２０の接着片２０１をなす横長帯状の接着片形状部Ｐ２０１、底面内蓋２１をなす底面内蓋形状部Ｐ２１と、正面形状部Ｐ１４の上下方向の両端にそれぞれ折れ線Ｌ１２、Ｌ１３を介して形成され、直方体形状に組み立て後の状態で天面外蓋２２をなす天面外蓋形状部Ｐ２２、底面外蓋２３をなす底面外蓋形状部Ｐ２３と、を有する。
この場合、４側面形状部Ｐ１１−Ｐ１５は背面形状部Ｐ１２、正面形状部Ｐ１４がそれぞれ同じ大きさの左右に少し長い長方形に形成され、天面内蓋形状部Ｐ２０、底面内蓋形状部Ｐ２１、天面外蓋形状部２２、底面外蓋形状部２３はそれぞれ背面形状部Ｐ１２、正面形状部Ｐ１４よりも少し小さい同じ大きさの左右に少し長い長方形に形成される。各フラップ形状部Ｐ１６、Ｐ１７、Ｐ１８、Ｐ１９はそれぞれ各蓋形状部Ｐ２０、Ｐ２１、Ｐ２２、Ｐ２３の縦の長さよりも低い略台形状に形成され、連結面形状部Ｐ１５及び左側面形状部Ｐ１３の上下方向両端のフラップ形状部Ｐ１６、Ｐ１７及びＰ１８、Ｐ１９はそれぞれ、正面形状部Ｐ１４を中心にして対称的に形成される。また、この場合、正面形状部Ｐ１４の上端に天面外蓋形状部Ｐ２２を切り離すための破断線Ｃ１が折れ線Ｌ１２の中央の位置から正面形状部Ｐ１４内に略半円形の溝形に、さらにその両端から折れ線Ｌ１２上に沿って直線状に形成され、背面形状部Ｐ１２の下端に、この箱Ｂを廃棄するときに箱Ｂが折り畳みやすくなるように、底面内蓋形状部Ｐ２１を切り離すための破断線Ｃ２が折れ線Ｌ１０の両端位置から背面形状部Ｐ１２内に略円弧状に形成される。
そして、この紙基材Ｐにおいては、箱Ｂの連結面形状部Ｐ１５上端の天面右フラップ形状部Ｐ１６内の略中央に、破断線Ｃ３が折れ線Ｌ５から天面右フラップ形状部Ｐ１６内に向けて略逆Ｕ字形に形成されて、連結面形状部Ｐ１５の上端から延びる延長表示部２４をなす延長表示部形状部Ｐ２４が形成される。また、この箱Ｂの右側面１１をなす右側面形状部Ｐ１１と連結面１５をなす連結面形状部Ｐ１５は右側面形状部Ｐ１１を外側（外側の板）、連結面形状部Ｐ１５を内側（内側の板）にして重ね合わされ接合される部分となり、この右側面形状部Ｐ１１内に切り取り部２５をなす切り取り部形状部Ｐ２５が形成される。この場合、右側面形状部Ｐ１１の下部側に自由端である前側縁部１１１から後側縁部１１２に向けて、下側縁部１１３の一部、前側縁部１１１の一部をそれぞれ長辺２５１、短辺２３２とする所定の大きさの横長の長方形になるように、右側面形状部Ｐ１１内に当該長辺２５１、短辺２５２に対向して破断線Ｃ４が略逆Ｌ字形に形成されて、切り取り部形状部Ｐ２５が形成される。
紙基材Ｐはこのようにして形成され、この紙基材Ｐの天面外蓋形状部Ｐ２２及び４側面形状部Ｐ１１−Ｐ１４などには医薬品に関する各種の情報が印刷され、また、外側の板１１となる左側面形状部Ｐ１１の切り取り部形状部Ｐ２５の表面には「この部分を切り取る」などこの部分を切り取り指示するための（ユーザーに向けての）メッセージが印刷により記入され、内側の板１５になる連結面形状部Ｐ１５の表面には、右側面形状部Ｐ１１から切り取り部形状部Ｐ２５が切り取られた後の外側に現れる面に「開封済」なる文字が印刷により記入される。
【００１６】
このようにして紙基材Ｐは各形状部が各折れ線を介して折り曲げられ、左右方向に長い直方体形状の箱形に組み立てられる。すなわち、背面１２をなす背面形状部Ｐ１２に対して右側面形状部Ｐ１１が折れ線Ｌ１を介して直角に折り曲げられて右側面１１をなし、同様に、背面形状部Ｐ１２に対して左側面形状部Ｐ１３が折れ線Ｌ２を介して直角に折り曲げられて左側面１３をなし、この左側面１３に対して正面形状部Ｐ４が折れ線Ｌ３を介して直角に折り曲げられて正面１４をなす。そして、この正面１４に対して連結面形状部Ｐ１５が折れ線Ｌ４を介して直角に折り曲げられ、右側面１１の内側に重合されて連結面１５をなす。この右側面１１の内側で右側面１１と連結面１５が接着剤を介して連結され、これにより４側面１１−１４、１５が組み立てられる。この状態から、連結面１５、左側面１３の下端の底面左右の各フラップ形状部Ｐ１７、Ｐ１９が折れ線Ｌ６、Ｌ８を介して直角に折り曲げられて底面左右の各フラップ１７、１９をなし、背面１２の下端の底面内蓋形状部Ｐ２１が折れ線Ｌ１０を介して直角に折り曲げられて底面内蓋２１をなし、そして、正面１４の下端の底面外蓋形状部Ｐ２３が折れ線Ｌ１３を介して直角に折り曲げられて底面外蓋２３をなし、それぞれが底面で重合される。この底面外蓋２３の内側で底面外蓋２３と底面内蓋２１が接着剤を介して連結され、底面が封止される。また、連結面１５、左側面１３の上端の天面左右の各フラップ形状部Ｐ１６、Ｐ１８が折れ線Ｌ５、Ｌ７を介して直角に折り曲げられて天面左右の各フラップ１６、１８をなし、背面１２の上端の天面内蓋形状部Ｐ２０が折れ線Ｌ９を介して直角に折り曲げられて天面内蓋２０をなし、併せて天面内蓋２０の接着片形状部Ｐ２０１が内側に略直角に折り曲げられて、接着片２０１が形成され、この接着片２０１が正面１４の内側に差し込まれて、この接着片２０１と正面１４が接着剤を介して接着固定され、そして、正面１４の上端の天面外蓋形状部Ｐ２２が折れ線Ｌ１２を介して直角に折り曲げられて天面外蓋２２をなし、天面内蓋２０の上に重合され、この天面外蓋２２の内側で天面外蓋２２と天面内蓋２０が接着剤を介して連結され、天面（開口１０）が封止される。これにより、この紙基材Ｐは左右に長い直方体形状の箱形に組み立てられ、そして、連結面１５の上端、つまり箱Ｂの天面開口１０の右縁部の天面右フラップ１６内に延長表示部２４が切り起こし可能に形成され、この延長表示部２４に「開封済」の文字が表示され、また、右側面１１の下部に切り取り部２５が切り取り可能に設けられ、この切り取り部２５の下に「開封済」の文字が隠される。
【００１７】
包装用箱Ｂはこのようにして構成され、錠剤やカプセルなどの医薬品は複数個ずつ１枚のＰＴＰシート（プレススルーパックシート）に収納されて、このＰＴＰシートが所定の枚数ずつアルミ包材パックに封入された状態で、この包装用箱Ｂに包装され、調剤薬局などの医療機関へ供給される。
そして、この包装用箱Ｂにあっては、医療機関でこの箱Ｂに収容された医薬品を使用するに際し、包装用箱Ｂを開封し、必要に応じて、図３に示すように、この箱Ｂの右側面１１上部の天面右フラップ１６から延長表示部２４を切り起こして、その「開封済」なる文字を表示し、また、図５に示すように、右側面１１から切り取り部２５を切り取って、その切り取り後の面に「開封済」なる文字を表示するようになっている。
すなわち、医療機関では、既述のとおり、開封済みの箱の医薬品から使用していき、この箱内の医薬品がなくなれば、未開封の箱を開封し医薬品を取り出すことになる。この包装用箱Ｂの場合、図３に示すように、箱Ｂの天面外蓋２２を開封し、この外蓋２２を内蓋２０とともに開き、天面左右の各フラップ１６、１８を開いて、天面開口１０を開放し、箱Ｂから医薬品を取り出すが、この天面外蓋２２の開封の時点で初めて、天面外蓋２２、内蓋２０の下に押え固定された天面左右のフラップ１６、１８を天面外蓋２２、内蓋２０の左右両側に開くことができ、その右フラップ１６から延長表示部２４を切り起こすことができる。ここで延長表示部２４を右フラップ１６の外側に略直角に立ち上げて、この延長表示部２４表面の「開封済」なる文字を表示する。そして、天面左右の各フラップ１６、１８を天面開口１０上に折り畳み、図４に示すように、この開口１０を天面外蓋２２、内蓋２０で閉じると、箱Ｂの右側面１１から天面外蓋２２の上に延長表示部２４が立ち上がり、その「開封済」の表示により、この箱Ｂが開封済みであることを強調して表示され、これにより箱Ｂが開封済みか未開封かを容易かつ確実に視認することができ、誰が見ても、この箱Ｂを未開封の箱と誤認することがない。
さらに、この箱Ｂの場合、天面外蓋２２の開封に伴い、図５に示すように、右側面（外側の板）１１から切り取り部２５を切り取ると、図６に示すように、この箱Ｂの右側面をなす連結面（内側の板）１５に「開封済」の文字が現れ、この医薬品の箱Ｂが既に開封済みであることが周知される。この２重の表示により、この医薬品の箱Ｂが開封済みか未開封かの区別がさらにつきやすくなり、この使用中（開封済み）のものがあるにも関らず、未使用（未開封）のものを誤って開封してしまうのを防止することができる。また、この包装用箱Ｂは、右側面１１から切り取り部２５が切り取られた後でも、この右側面１１は外側の板（右側面１１）と内側の板（連結面１５）が接合されて２重構造になっているので、右側面１１は確実に保持されており、箱Ｂとして十分に利用することができる。
【００１８】
以上説明したように、この包装用箱Ｂによれば、開口１０の縁部に、開口１０上に延び、この開口１０を蓋２２、２０で封止する際に蓋２２、２０の内側に配置され、蓋２２、２０で押え固定される延長表示部２４を備え、この延長表示部２４に「開封済」の文字を設け、蓋２２、２０の開封時に、この延長表示部２４を開口１０から引き起こし、蓋２２、２０の外側に突出させて、「開封済」の文字を外部に表示するようにしたので、箱Ｂを開封したことを箱Ｂの開封後に簡単に表示でき、かつ箱Ｂが開封済みであることを強調して未開封の箱と明確に区別することができ、箱Ｂが開封済みか未開封かを容易かつ確実に視認することができる。また、この場合、箱Ｂを開封するまでは、延長表示部２４が蓋２２、２０で押え固定されているので、「開封済」の文字を箱Ｂの開封後にのみ表示することができ、この延長表示部２４を箱Ｂの開封前に誤って表示することがない。
また、この包装用箱Ｂでは、箱Ｂは側面の一部が外側の板１１と内側の板１５とからなる２重構造で、外側の板１１の一部に切り取り部２５を備え、内側の板１５の切り取り部２５の切り取り後の外側に現れる面に「開封済」の文字を設け、蓋２２、２０の開封に伴い、この切り取り部２５を切り取り、箱Ｂの側面に「開封済」の文字を外部に表示するようにしたので、箱Ｂの側面に箱Ｂを開封したことを箱Ｂの開封後に簡単に表示でき、かつ箱Ｂが開封済みであることを強調して未開封の箱と明確に区別することができ、箱Ｂが開封済みか未開封かを容易かつ確実に視認することができる。この２重の表示により、その実用的効果はさらに大きなものとなる。
【００１９】
なお、上記実施の形態では、開口１０の縁部に開口１０上に延びる左右天面のフラップ１６、１８を有し、延長表示部２４を一方のフラップ（右フラップ１６）の一部として、フラップ内に切り越しにより形成したが、これに代えて、フラップを分割して一方の分割部をフラップとし、他方の分割部を延長表示部としてもよい。また、上記実施の形態の場合、開口１０の縁部に開口１０上に延びる天面左右のフラップ１６、１８を有し、延長表示部２４を一方のフラップ（右フラップ１６）の一部に形成したが、延長表示部をフラップとは別に、例えば内側の板の上端にフラップを形成し、外側の板の上端に延長表示部を形成して「開封済」の表示を記入するようにしてもよい。このようにしても上記実施の形態と同様の作用効果を得ることができる。さらに、上記実施の形態の場合、延長表示部２４を一方のフラップ（右フラップ１６）にのみ形成したが、両方のフラップに形成してもよく、このようにすることにより、箱が開封済みであることをさらに強調してその視認性をさらに高めることができる。
【００２０】
また、上記実施の形態の場合では、延長表示部２４に「開封済」の文字を設けたが、文字に代えて、図や図と文字の組み合わせなどを用いて「開封済」を意味する表記としてもよい。このようにしても上記実施の形態と同様の作用効果を得ることができる。
【００２１】
さらに、上記実施の形態では、箱Ｂの開口１０縁部に延長表示部２４を設けて、この延長表示部２４に「開封済」の文字を表示し、さらに箱Ｂの側面の一部に切り取り部２５を設けて、この切り取り部２５の切り取り後の面に「開封済」の文字を表示して、２重の表示としたが、いずれか一方の表示のみとしてもよい。
この場合、箱Ｂの側面の一部に切り取り部２５を設け、この切り取り部２５の切り取り後の面に開封済みの文字を表示するだけでは、箱Ｂの開封前でも、切り取り部２５を任意に切り取ることが可能なため、この切り取り部２５を箱Ｂの開封前に誤って切り取られる恐れがある。そこで、この場合は、切り取り部の一端が蓋側に延び、開口を蓋で封止する際に、切り取り部の一端が蓋の内側に配置され、当該蓋で押え固定されるようにすればよい。例えば、上記実施の形態の箱Ｂの場合では、図７に示すように、４側面１１−１５の少なくとも１面が外側の板１１と内側の板１５とからなる２重構造になっているので、外側の板１１の上部に天面右フラップ１６を設けておき、切り取り部２５が外側の板１１に切り取り可能に形成され、かつその上端２５Ａが天面右フラップ１６内に切り抜き可能に形成されて天面外蓋２２側に延ばされ、箱Ｂ２の天面開口１０が蓋２２、２０で封止される際に、切り取り部２５の上端２５Ａが天面右フラップ１６とともに天面外蓋２２、内蓋２０の内側に配置され、蓋２２、２０で押え固定されるようにする。このようにして内側の板１５の表面で切り取り部２５の切り取り後に外側に現れる面に「開封済」の文字を設ける。このようにすることで、箱Ｂを開封しなければ切り取り部２５を切り取ることができず、未使用（未開封）のものを使用中のものと誤って切り取り部２５を切り取ることがない。
【００２２】
また、上記実施の形態では、医薬品を包装するのに使用する包装用箱を例示したが、本発明の包装用箱は、医薬品を包装する箱に限定されるものではなく、各種の物品を包装する各種の箱に上記と同様に適用することができ、上記と同様の作用効果を得ることができることは勿論である。
【符号の説明】
【００２３】
Ｂ  包装用箱
１０  開口
１１  右側面（外側の板）
１１１  前側縁部
１１２  後側縁部
１１３  下側縁部
１２  背面
１３  左側面
１４  正面
１５  連結面（内側の板）
１６  天面右フラップ
１７  底面右フラップ
１８  天面左フラップ
１９  底面左フラップ
２０  天面内蓋
２０１  接着片
２１  底面内蓋
２２  天面外蓋
２３  底面外蓋
２４  延長表示部
２５  切り取り部
２５１  長辺
２５２  短辺
２５Ａ  上端
Ｐ  紙基材
Ｐ１１  右側面形状部
Ｐ１２  背面形状部
Ｐ１３  左側面形状部
Ｐ１４  正面形状部
Ｐ１５  連結面形状部
Ｐ１６  天面右フラップ形状部
Ｐ１７  底面右フラップ形状部
Ｐ１８  天面左フラップ形状部
Ｐ１９  底面左フラップ形状部
Ｐ２０  天面内蓋形状部
Ｐ２０１  接着片形状部
Ｐ２１  底面内蓋形状部
Ｐ２２  天面外蓋形状部
Ｐ２３  底面外蓋形状部
Ｐ２４  延長表示部形状部
Ｐ２５  切り取り部形状部
Ｌ１−Ｌ１３  折れ線
Ｃ１−Ｃ４  破断線（ミシン目）
【図１】
0003194834.tif 000003
【図２】
0003194834.tif 000004
【図３】
0003194834.tif 000005
【図４】
0003194834.tif 000006
【図５】
0003194834.tif 000007
【図６】
0003194834.tif 000008
【図７】
0003194834.tif 000009